(57)【要約】  【課題】  複数の備品の収納及び取り出しが容易な収納庫を提供することを目的とする。  【解決手段】  燃料タンク及び作動油タンクを覆っているハウスカバーの前方であって、上部旋回体の前側の旋回フレーム上に上面と側面に開口を有する収納庫を載置すると共に、該開口を覆う蓋材を夫々開閉可能に蝶着し、収納庫を仕切る仕切板を設け、燃料給油ポンプを収納庫の上面又は側面に開閉可能に蝶着した蓋材の内面に着脱可能に収納し、収納庫の上面開口に工具収納用トレイを着脱可能に載置し、更に、収納庫の上面開口及び側面開口の周縁又は蓋材の周縁にウエザーストリップを取付けた。【選択図】  図２
2005155070.tif 000002
【特許請求の範囲】
【請求項１】
下部走行体上に上部旋回体を旋回可能に装架し、該上部旋回体の前部中央にアタッチメント、前部一側に運転室、前部他側にハウスカバーを配した土木・建設機械において、該ハウスカバーの前側に上面と側面に開口を有する収納庫を設け、該収納庫の開口を覆う蓋材を開閉可能に蝶着し、工具、バッテリ乃至燃料給油ポンプの収納、取り出しを容易にしたことを特徴とする土木・建設機械の収納庫。
【請求項２】
前記収納庫に仕切板を設け、工具、バッテリ乃至燃料給油ポンプを各別に収納可能とすると共に、該工具、バッテリ乃至燃料給油ポンプを上面開口乃至側面開口から適宜取り出し可能としたことを特徴とする請求項１記載の土木・建設機械の収納庫。
【請求項３】
前記燃料給油ポンプを収納庫の上面又は側面に開閉可能に蝶着した蓋材の内面に着脱可能に収納したことを特徴とする請求項１又は請求項２記載の土木・建設機械の収納庫。
【請求項４】
前記収納庫の上面開口に工具収納用トレイを着脱可能に載置したことを特徴とする請求項１乃至請求項３記載の土木・建設機械の収納庫。
【請求項５】
前記収納庫の上面開口及び側面開口の周縁又は前記蓋材の周縁にウエザーストリップを取付け、雨水の浸入を防止したことを特徴とする請求項１乃至４記載の土木・建設機械の収納庫。
【発明の詳細な説明】
【技術分野】
【０００１】
本発明は、油圧ショベル等の土木・建設機械の収納庫、特に工具、バッテリ乃至燃料給油ポンプ等数種類の備品の収納庫に関するものである。
【背景技術】
【０００２】
従来、油圧ショベル等の土木・建設機械においては、上部旋回体に搭載されたエンジン、油圧機器、燃料タンク、作動油タンク及びバッテリ等を保護するためにハウスカバーが設けられ、バッテリはエンジンルームに、燃料給油ポンプは燃料タンク脇に、そして工具は上部旋回体の空間に工具箱を設けて収納していたが、近年、油圧ショベル等の土木・建設機械のスペースを有効に利用するために、通常ステップを取り付ける位置に工具箱を取り付け、その工具箱をステップの代わりに使用するステップ兼用工具箱が出現してきた（例えば、特許文献１参照）。また、油圧機器、燃料タンク及び作動油タンク等を保護するハウスカバーの前方に格納箱を設け、その格納箱に作業灯を取付け、バッテリからその作業灯に送電するケーブル及びそのケーブルを巻き取るリールを収納したものも存在する（例えば、特許文献２参照）。一方、ラジエータ、オイルクーラ等の熱交換器を冷却する空気の流れを円滑にガイドする導風板をエンジンルーム内に設け、この導風板の下方にバッテリを配置したものも存在する（例えば、特許文献３参照）。
【特許文献１】特開平８−１００４４４号公報（第２〜４頁、図１〜図６）
【特許文献２】特開平９−１１９１４７号公報（第２〜６頁、図１、図３）
【特許文献３】特開２０００−５４４３０号公報（第２〜５頁、図３、図４）
【発明の開示】
【発明が解決しようとする課題】
【０００３】
特許文献１記載の発明は、工具箱の上面、前面、側面の何れか一面に蓋をヒンジ部材により開閉可能に蝶着、又は、内箱を出入可能に嵌挿させたものであり、開口面は一面だけであり、工具、バッテリ及び燃料給油ポンプ等の数種類の備品の収納、取り出しには適していない。
【０００４】
また、特許文献２に開示されている技術は、上部旋回体の前側の旋回フレーム上に格納箱を設け、その格納箱に作業灯を取付け、バッテリからその作業灯に送電するケーブル及びそのケーブルを巻き取るリールを格納したものであるが、この格納箱は上面に開口を設け、開閉可能な蓋を設けたものであるため、下部走行体の履帯上に昇って、上面の開口からリール及びケーブルの格納、取り出しを行う必要があり大変である。
【０００５】
そして、特許文献３記載の発明は、エンジンルームにバッテリを収納したもので、バッテリの上部には導風板が設けられ、空気流路を設けているため、上部旋回体の幅が大きくなり、コンパクト化できないという問題がある。
【０００６】
そこで、工具、バッテリ乃至燃料給油ポンプ等の備品の収納、取り出しを容易にすると共に、工具、バッテリ乃至燃料給油ポンプ等の備品を一括収納することにより、コンパクトな土木・建設機械を提供するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、下部走行体上に上部旋回体を旋回可能に装架し、該上部旋回体の前部中央にアタッチメント、前部一側に運転室、前部他側にハウスカバーを配した土木・建設機械において、該ハウスカバーの前側に上面と側面に開口を有する収納庫を設け、該収納庫の開口を覆う蓋材を開閉可能に蝶着し、工具、バッテリ乃至燃料給油ポンプの収納、取り出しを容易にした土木・建設機械の収納庫である。
【０００８】
請求項２記載の発明は、請求項１記載の発明において、収納庫に仕切板を設け、工具、バッテリ乃至燃料給油ポンプを各別に収納可能とすると共に、該工具、バッテリ乃至燃料給油ポンプを上面開口乃至側面開口から適宜取り出し可能とした土木・建設機械の収納庫である。
【０００９】
請求項３記載の発明は、請求項１又は請求項２記載の発明において、燃料給油ポンプを収納庫の上面又は側面に開閉可能に蝶着した蓋材の内面に着脱可能に収納した土木・建設機械の収納庫である。
【００１０】
請求項４記載の発明は、請求項１乃至請求項３記載の発明において、収納庫の上面開口に工具収納用トレイを着脱可能に載置した土木・建設機械の収納庫である。
【００１１】
請求項５記載の発明は、請求項１乃至請求項４記載の発明において、収納庫の上面開口及び側面開口の周縁又は前記蓋材の周縁にウエザーストリップを取付け、雨水の浸入を防止した土木・建設機械の収納庫である。
【発明の効果】
【００１２】
請求項１記載の発明は、収納庫の上面と側面に開口を設けたため、工具、バッテリ乃至燃料給油ポンプの収納、取り出しが容易であり、特に下部走行体の履帯若しくは上部旋回体に設けたステップに上ることなく側面に設けた開口から工具、バッテリ及び燃料給油ポンプの収納、取り出しが可能であり、作業が楽になる。
【００１３】
請求項２記載の発明は、収納庫に仕切板を設け、工具、バッテリ乃至燃料給油ポンプを各別に収納できるため整理整頓が容易であり、また、工具にはグリースが付着し、燃料給油ポンプには燃料が多少残るため収納庫が油で汚れることがあるが、仕切板を設けることにより、油の飛散を防止することができる。
【００１４】
請求項３記載の発明は、燃料給油ポンプを収納庫の上面又は側面に開閉可能に蝶着した蓋材の内側に着脱可能に取り付けたので、収納庫内の空間を有効に利用できると共に、蓋材を開けたときに燃料給油ポンプも一緒に移動するため工具、バッテリの収納、取り出しの妨げとならない。また、燃料給油ポンプを側面に開口可能に設けた蓋材に取り付けることにより、下部走行体の履帯若しくはステップに上ることなく地上から燃料給油ポンプの収納、取り出しが可能となり、作業が楽になる。
【００１５】
請求項４記載の発明は、収納庫の上面開口に工具収納用トレイを着脱可能に載置したので、工具が収納されたトレイを収納庫から外し、そのトレイを持ってメンテナンス作業を行うことができ、メンテナンスが容易になる。
【００１６】
請求項５記載の発明は、収納庫の上面開口及び側面開口の周縁又は前記蓋材の周縁にウエザーストリップを取付け、蓋材を閉じたときに雨水が収納庫内に浸入しないようにしたので、バッテリ、工具及び燃料ポンプに直接雨水が懸かるのを防止でき、漏電防止、防錆等を図ることができる。
【発明を実施するための最良の形態】
【００１７】
以下、本発明の一実施の形態を図面に従って詳述する。図１は本発明を採用した油圧ショベルの全体側面図を示し、図２は本発明の第１実施形態に係る収納庫取付斜視図、図３は本発明の第２実施形態に係る収納庫平面断面図、図４は本発明の第３実施形態に係る収納庫側面断面図、図５は本発明の第４実施形態に係る収納庫側面断面図、図６は本発明の第５実施形態に係る収納庫正面断面図を示す。
【００１８】
図１において、１は履帯１ａを履いた下部走行体で、該下部走行体１には上部旋回体２が旋回可能に装架されている。そして該上部旋回体２を構成する旋回フレーム２ａの前部には、一側部に運転室３が載置され、中央部にアタッチメント４が俯仰動可能に枢着され、他側部に燃料タンク及び作動油タンク（図示せず）が載置されると共に、該燃料タンク、作動油タンクを覆うハウスカバー５が取り付けられている。
【００１９】
図２において、前記ハウスカバー５の前方であって、上部旋回体２の前側の旋回フレーム２ａ上には、収納庫６が載置されている。そして該収納庫６の上面及び側面には上面開口６ａ、側面開口６ｂが夫々開穿され、該上面開口６ａ、側面開口６ｂを覆う上面蓋材７及び側面蓋材８が蝶番９、１０により回動可能に蝶着され、上面蓋材７及び側面蓋材８は収納庫６と係止金具１１、１２により開閉可能に取り付けられている。また、該収納庫６の前方で、旋回フレーム２ａの先端にはステップ１３が固着されている。
【００２０】
図３において、収納庫６を仕切板１４、１５で仕切り、工具１６を収納する工具収納部１６ａ、バッテリ１７を収納するバッテリ収納部１７ａ及び燃料給油ポンプ１８を収納する燃料給油ポンプ収納部１８ａとしたものである。
【００２１】
図４は、燃料給油ポンプ１８を上面蓋材７の内面に金具１９により固定したものである。
【００２２】
図５は、上面開口６ａの周縁部に鍔６ｃを設け、該鍔６ｃ上に工具収納用トレイ２０を着脱可能に載置したものである。
【００２３】
図６は、収納庫６の上面開口６ａ及び側面開口６ｂの周縁又は前記上面蓋材７及び側面蓋材８の周縁にウエザーストリップ２１、２２を取付けたものである。
【００２４】
収納庫６の上面と側面に上面開口６ａ及び側面開口６ｂを夫々開穿したため、工具１６、バッテリ１７乃至燃料給油ポンプ１８の収納、取り出しが容易になり、特に下部走行体１の履帯１ａ若しくはステップ１３に上ることなく地上から工具１６、バッテリ１７及び燃料給油ポンプ１８の収納、取り出しができ、また、収納庫６を仕切板で仕切って、工具収納部１６ａ、バッテリ収納部１７ａ及び燃料給油ポンプ収納部１８ａを設けたため、整理整頓が容易となり、油の飛散を防止でき、一括収納することにより土木・建設機械のコンパクト化を図ることができる。更に、上面蓋材７又は側面蓋材８の内側に燃料給油ポンプ１８を収納できるようにしたので収納空間を有効に利用することが可能になり、上面開口６ａに工具収納用トレイ２０を着脱可能に載置したので、工具１６が入った工具収納用トレイ２０を携えてメンテナンスを行うことができ、メンテナンス作業の効率化を図ることができると共に、工具１６の散乱を防止することができる。そして、収納庫６の上面開口６ａ及び側面開口６ｂの周縁又は上面蓋材７及び側面蓋材８の周縁にウエザーストリップ２１、２２を取付け、上面蓋材７及び側面蓋材８を閉じたときに雨水が収納庫６内に浸入しないようにしたので、バッテリ１７、工具１６及び燃料給油ポンプ１８に直接雨水が懸かるのを防止でき、漏電防止、防錆等を図ることができる。
【００２５】
尚、本発明は、本発明の精神を逸脱しない限り種々の改変を為すことができ、そして、本発明が該改変されたものに及ぶことは当然である。
【図面の簡単な説明】
【００２６】
【図１】本発明を採用した油圧ショベルの全体側面図
【図２】本発明の第１実施形態に係る収納庫取付斜視図
【図３】本発明の第２実施形態に係る収納庫平面断面図
【図４】本発明の第３実施形態に係る収納庫側面断面図
【図５】本発明の第４実施形態に係る収納庫側面断面図
【図６】本発明の第５実施形態に係る収納庫正面断面図
【符号の説明】
【００２７】
２        上部旋回体
２ａ    旋回フレーム
５        ハウスカバー
６        収納庫
６ａ    上面開口
６ｂ    側面開口
６ｃ    鍔
７        上面蓋材
８        側面蓋材
９        蝶番
１０        蝶番
１１        係止金具
１２        係止金具
１３        ステップ
１４        仕切板
１５        仕切板
１６        工具
１６ａ  工具収納部
１７        バッテリ
１７ａ  バッテリ収納部
１８        燃料給油ポンプ
１８ａ  燃料給油ポンプ収納部
１９        金具
２０        トレイ
２１        ウエザーストリップ
２２        ウエザーストリップ
【図１】
2005155070.tif 000003
【図２】
2005155070.tif 000004
【図３】
2005155070.tif 000005
【図４】
2005155070.tif 000006
【図５】
2005155070.tif 000007
【図６】
2005155070.tif 000008